(57)【要約】【課題】放電灯の寿命を向上できる放電灯駆動装置を提供する。【解決手段】本発明の放電灯駆動装置は、駆動部と、検出部と、制御部と、を備える。駆動部は、放電灯に供給される駆動電流が互いに異なる複数の駆動パターンを有する。制御部は、放電灯の点灯期間において、前記複数の駆動パターンのうちの一つの駆動パターンを所定の選択率に従って所定のタイミングで順次選択し、選択された駆動パターンに対応する駆動電流が放電灯に供給されるように駆動部を制御する。制御部は、放電灯の前回の消灯前の第１電極間電圧と今回の点灯後の第２電極間電圧との間の変化量が所定値よりも大きい場合、放電灯の前回の消灯までの所定期間において駆動時間が最も長かった第１駆動パターンの選択率を、前回の点灯期間における第１駆動パターンの選択率よりも小さくする。【選択図】図８
2018045805.tif 000002
【特許請求の範囲】
【請求項１】
一対の電極を備えた放電灯に駆動電流を供給する駆動部と、
前記放電灯の電極間電圧を検出する検出部と、
前記駆動部を制御する制御部と、
を備え、
前記駆動部は、前記放電灯に供給される駆動電流が互いに異なる複数の駆動パターンを有し、
前記制御部は、前記放電灯の点灯期間において、前記複数の駆動パターンのうちの一つの駆動パターンを所定の選択率に従って所定のタイミングで順次選択し、選択された前記駆動パターンに対応する駆動電流が前記放電灯に供給されるように前記駆動部を制御し、
前記制御部は、前記放電灯の前回の消灯前に検出された第１電極間電圧と、前記放電灯の今回の点灯後に検出された第２電極間電圧と、の間の変化量が所定値よりも大きい場合、前記放電灯の前回の消灯までの所定期間において駆動時間が最も長かった第１駆動パターンの選択率を、前回の点灯期間における前記第１駆動パターンの選択率よりも小さくする、放電灯駆動装置。
【請求項２】
前記制御部は、前記変化量が前記所定値よりも大きい場合、前記第１駆動パターンの低下した選択率よりも高い選択率を有する第２駆動パターンを選択する、請求項１に記載の放電灯駆動装置。
【請求項３】
前記制御部は、前記変化量が前記所定値よりも大きい場合、前記第１駆動パターンの選択率を前記複数の駆動パターンの各選択率の平均値よりも小さくする、請求項１または請求項２に記載の放電灯駆動装置。
【請求項４】
前記制御部は、前記変化量が所定値以下の場合、前記第２電極間電圧が検出された時点で設定されていた駆動パターンを維持する、請求項１から請求項３のいずれか一項に記載の放電灯駆動装置。
【請求項５】
前記制御部は、前記点灯期間において、
前記複数の駆動パターンのうちの一つの駆動パターンを選択し、選択された前記一つの駆動パターンに対応する駆動電流を所定時間前記放電灯に供給し、前記所定時間において検出された電極間電圧に基づいて前記電極間電圧の変化量を取得する動作を、前記複数の駆動パターンの間で繰り返し、
前記一つの駆動パターンと前記一つの駆動パターンに対応する前記変化量との相関データを取得する、請求項１から請求項４のいずれか一項に記載の放電灯駆動装置。
【請求項６】
前記制御部は、前記点灯期間において、選択された前記一つの駆動パターンに対応する駆動電流が前記放電灯に供給される供給期間において検出された前記電極間電圧に基づいて、前記選択された一つの駆動パターンの選択率を更新する、請求項１から請求項５のいずれか一項に記載の放電灯駆動装置。
【請求項７】
光を射出する放電灯と、
請求項１から請求項６までのいずれか一項に記載の放電灯駆動装置と、
を備える、光源装置。
【請求項８】
請求項７に記載の光源装置と、
前記光源装置から射出される光を映像信号に応じて変調する光変調素子と、
前記光変調素子により変調された光を投射する投射光学系と、
を備えた、プロジェクター。
【請求項９】
一対の電極を有する放電灯に駆動電流を供給し、前記放電灯を駆動する放電灯駆動方法であって、
前記放電灯に供給される駆動電流が互いに異なる複数の駆動パターンを有し、
前記放電灯の点灯期間において、前記複数の駆動パターンのうちの一つの駆動パターンを所定の選択率に従って所定のタイミングで順次選択し、
選択された前記駆動パターンに対応する駆動電流を前記放電灯に供給し、
前記放電灯の前回の消灯前に検出された第１電極間電圧と、前記放電灯の今回の点灯後に検出された第２電極間電圧と、の間の変化量が所定値よりも大きい場合、前記放電灯の前回の消灯までの所定期間において駆動時間が最も長かった第１駆動パターンの選択率を、前回の点灯期間における前記第１駆動パターンの選択率よりも小さくする、放電灯駆動方法。
【発明の詳細な説明】
【技術分野】
【０００１】
本発明は、放電灯駆動装置、光源装置、プロジェクター、および放電灯駆動方法に関する。
【背景技術】
【０００２】
プロジェクターの光源装置として、高圧水銀ランプ、メタルハライドランプ等の放電灯が使用されることがある。下記の特許文献１には、放電灯の点灯回路と、始動回路と、ランプ電圧検出回路と、異常判断手段と、異常処理手段と、放電灯消灯後の経過時間検出回路と、を含む高圧放電灯点灯装置を備えたプロジェクターが開示されている。このプロジェクターにおいて、異常判断手段は、ランプ電圧が基準電圧以下であった場合に放電灯が異常であると判断する。
【先行技術文献】
【特許文献】
【０００３】
【特許文献１】特開２００７−５９２８１号公報
【発明の概要】
【発明が解決しようとする課題】
【０００４】
上記のプロジェクターにおいて、異常判断手段は、ランプ電圧、すなわち電極間電圧にのみ基づいて放電灯の状態を判断している。そのため、放電灯の状態を正確に把握することができず、放電灯の寿命が低下する場合があった。
【０００５】
具体的には、上記のプロジェクターによれば、電極間電圧に基づいて電極間距離を検出することができるが、放電灯の電極先端の突起の太さを検出することができない。そのため、ランプ電圧が所定の電圧範囲にあり、放電灯が正常と判断されたとしても、電極先端の突起が細い場合には突起が消滅する場合があり、放電灯が急激に劣化する虞があった。
【０００６】
本発明の一つの態様は、上記の課題を解決するためになされたものであって、放電灯の寿命を向上できる放電灯駆動装置を提供することを目的の一つとする。また、本発明の一つの態様は、そのような放電灯駆動装置を備える光源装置を提供することを目的の一つとする。また、本発明の一つの態様は、そのような光源装置を備えるプロジェクターを提供することを目的の一つとする。また、本発明の一つの態様は、放電灯の寿命を向上できる放電灯駆動方法を提供することを目的の一つとする。
【課題を解決するための手段】
【０００７】
上記の目的を達成するために、本発明の一つの態様の放電灯駆動装置は、一対の電極を備えた放電灯に駆動電流を供給する駆動部と、前記放電灯の電極間電圧を検出する検出部と、前記駆動部を制御する制御部と、を備える。前記駆動部は、前記放電灯に供給される駆動電流が互いに異なる複数の駆動パターンを有する。前記制御部は、前記放電灯の点灯期間において、前記複数の駆動パターンのうちの一つの駆動パターンを所定の選択率に従って所定のタイミングで順次選択し、選択された前記駆動パターンに対応する駆動電流が前記放電灯に供給されるように前記駆動部を制御する。前記制御部は、前記放電灯の前回の消灯前に検出された第１電極間電圧と、前記放電灯の今回の点灯後に検出された第２電極間電圧と、の間の変化量が所定値よりも大きい場合、前記放電灯の前回の消灯までの所定期間において駆動時間が最も長かった第１駆動パターンの選択率を、前回の点灯期間における前記第１駆動パターンの選択率よりも小さくする。
【０００８】
仮に放電灯の電極先端の突起が細かったとすると、放電灯の放電開始時の衝撃により突起が消滅することで電極間距離が拡大し、電極間電圧が大きくなる場合がある。本発明の一つの態様の放電灯駆動装置において、放電灯の前回の消灯前の第１電極間電圧と今回の点灯後の第２電極間電圧との間の変化量を検出するため、その変化量が所定値よりも大きい場合、今回の放電灯点灯前に突起が細い状態であったことが推定できる。そこで、制御部は、放電灯の前回の消灯までの所定期間において駆動時間が最も長かった第１駆動パターンの選択率を、前回の点灯期間における第１駆動パターンの選択率よりも小さくする。これにより、今回以降の点灯期間では、第１駆動パターンによる駆動時間が前回の点灯期間に比べて少なくなり、突起の細りが抑えられる。このようにして、本発明の一つの態様の放電灯駆動装置によれば、電極先端の突起の形状が良好に維持できるため、放電灯の寿命を向上することができる。
【０００９】
本発明の一つの態様の放電灯駆動装置において、前記制御部は、前記変化量が前記所定値よりも大きい場合、前記第１駆動パターンの低下した選択率よりも高い選択率を有する第２駆動パターンを選択してもよい。
【００１０】
この構成によれば、第１駆動パターンの低下した選択率よりも高い選択率を有する第２駆動パターン、換言すると、突起形状の維持に対して第１駆動パターンよりも好ましいと判定されている第２駆動パターンにより放電灯が駆動される。これにより、電極先端の突起の形状が維持できるため、放電灯の寿命を向上することができる。
【００１１】
本発明の一つの態様の放電灯駆動装置において、前記制御部は、前記変化量が前記所定値よりも大きい場合、前記第１駆動パターンの選択率を前記複数の駆動パターンの各選択率の平均値よりも小さくしてもよい。
【００１２】
この構成によれば、複数の駆動パターンの中から第１駆動パターンが選択される確率が十分に下がり、電極先端の突起の形状が維持できるため、放電灯の寿命を向上することができる。
【００１３】
本発明の一つの態様の放電灯駆動装置において、前記制御部は、前記変化量が所定値以下の場合、前記第２電極間電圧が検出された時点で設定されていた駆動パターンを維持してもよい。
【００１４】
第１電極間電圧と第２電極間電圧との変化量が所定値よりも小さい場合、第２電極間電圧が検出された時点で設定されていた駆動パターンは、特に突起の形状を劣化させる原因にはならないと推定できる。上記の構成によれば、第２電極間電圧が検出された時点で設定されていた駆動パターンが維持されるため、突起の形状が良好に維持でき、放電灯の寿命を向上することができる。
【００１５】
本発明の一つの態様の放電灯駆動装置において、前記制御部は、前記点灯期間において、前記複数の駆動パターンのうちの一つの駆動パターンを選択し、選択された前記一つの駆動パターンに対応する駆動電流を所定時間前記放電灯に供給し、前記所定時間において検出された電極間電圧に基づいて前記電極間電圧の変化量を取得する動作を、前記複数の駆動パターンの間で繰り返し、前記一つの駆動パターンと前記一つの駆動パターンに対応する前記変化量との相関データを取得してもよい。
【００１６】
この構成によれば、制御部は、一つの駆動パターンと一つの駆動パターンに対応する変化量との相関データを参照することにより、現時点での電極の状態に合った各駆動パターンの選択率を適切に設定することができる。
【００１７】
本発明の一つの態様の放電灯駆動装置において、前記制御部は、前記点灯期間において、選択された前記一つの駆動パターンに対応する駆動電流が前記放電灯に供給される供給期間において検出された前記電極間電圧に基づいて、前記選択された一つの駆動パターンの選択率を更新してもよい。
【００１８】
この構成によれば、制御部は、複数の駆動パターンの選択率を電極間電圧の検出のときに適切に設定することができる。
【００１９】
本発明の一つの態様の光源装置は、光を射出する前記放電灯と、本発明の一つの態様の放電灯駆動装置と、を備える。
【００２０】
本発明の一つの態様の光源装置は、本発明の一つの態様の放電灯駆動装置を備えているため、信頼性の高い光源装置を実現することができる。
【００２１】
本発明の一つの態様のプロジェクターは、本発明の一つの態様の光源装置と、前記光源装置から射出される光を映像信号に応じて変調する光変調素子と、前記光変調素子により変調された光を投射する投射光学系と、を備える。
【００２２】
本発明の一つの態様のプロジェクターは、本発明の一つの態様の光源装置を備えているため、信頼性の高いプロジェクターを実現することができる。
【００２３】
本発明の一つの態様の放電灯駆動方法は、一対の電極を有する放電灯に駆動電流を供給し、前記放電灯を駆動する放電灯駆動方法であって、前記放電灯に供給される駆動電流が互いに異なる複数の駆動パターンを有し、前記放電灯の点灯期間において、前記複数の駆動パターンのうちの一つの駆動パターンを所定の選択率に従って所定のタイミングで順次選択し、選択された前記駆動パターンに対応する駆動電流を前記放電灯に供給し、前記放電灯の前回の消灯前に検出された第１電極間電圧と、前記放電灯の今回の点灯後に検出された第２電極間電圧と、の間の変化量が所定値よりも大きい場合、前記放電灯の前回の消灯までの所定期間において駆動時間が最も長かった第１駆動パターンの選択率を、前回の点灯期間における前記第１駆動パターンの選択率よりも小さくする。
【００２４】
本発明の一つの態様の放電灯駆動装置と同様、本発明の一つの態様の放電灯駆動方法によれば、電極先端の突起の形状が良好に維持できるため、放電灯の寿命を向上することができる。
【図面の簡単な説明】
【００２５】
【図１】一実施形態のプロジェクターの概略構成図である。
【図２】一実施形態における放電灯の断面図である。
【図３】プロジェクターの各種構成要素を示すブロック図である。
【図４】一実施形態の放電灯点灯装置の回路図である。
【図５】一実施形態の制御部の一構成例を示すブロック図である。
【図６Ａ】放電灯の電極先端の突起の様子を示す図である。
【図６Ｂ】放電灯の電極先端の突起の様子を示す図である。
【図７】駆動パターンの一例を示す図である。
【図８】各駆動パターンとランプ電圧の変化量との相関データの取得手順の一例を示すフローチャートである。
【図９】放電灯駆動方法の処理手順の一例を示すフローチャートである。
【発明を実施するための形態】
【００２６】
以下、本発明の一実施形態について、図面を用いて説明する。
なお、以下の各図面においては各構成要素を見やすくするため、構成要素によって寸法の縮尺を異ならせて示すことがある。
【００２７】
［プロジェクター］
図１は、本実施形態のプロジェクターの光学系の概略構成図である。
図１に示すように、本実施形態のプロジェクター５００は、光源装置２００と、平行化レンズ３０５と、照明光学系３１０と、色分離光学系３２０と、３つの液晶ライトバルブ（光変調素子）３３０Ｒ，３３０Ｇ，３３０Ｂと、クロスダイクロイックプリズム３４０と、投射光学系３５０と、を備えている。
【００２８】
光源装置２００から射出された光は、平行化レンズ３０５を通過して照明光学系３１０に入射する。平行化レンズ３０５は、光源装置２００からの光を平行化する。
【００２９】
照明光学系３１０は、光源装置２００から射出される光の照度を、液晶ライトバルブ３３０Ｒ，３３０Ｇ，３３０Ｂ上において均一化するように調整する。さらに、照明光学系３１０は、光源装置２００から射出される光の偏光方向を一方向に揃える。その理由は、光源装置２００から射出される光を液晶ライトバルブ３３０Ｒ，３３０Ｇ，３３０Ｂで有効に利用するためである。
【００３０】
照度分布と偏光方向とが調整された光は、色分離光学系３２０に入射する。色分離光学系３２０は、入射光を赤色光（Ｒ）、緑色光（Ｇ）、青色光（Ｂ）の３つの色光に分離する。３つの色光は、各色光に対応付けられた液晶ライトバルブ３３０Ｒ，３３０Ｇ，３３０Ｂにより、映像信号に応じてそれぞれ変調される。液晶ライトバルブ３３０Ｒ，３３０Ｇ，３３０Ｂは、後述する液晶パネル５６０Ｒ，５６０Ｇ，５６０Ｂと、偏光板（図示略）と、を備えている。偏光板は、液晶パネル５６０Ｒ，５６０Ｇ，５６０Ｂのそれぞれの光入射側および光射出側に配置される。
【００３１】
変調された３つの色光は、クロスダイクロイックプリズム３４０により合成される。合成光は投射光学系３５０に入射する。投射光学系３５０は、入射光をスクリーン７００（図３参照）に投射する。これにより、スクリーン７００上に映像が表示される。なお、平行化レンズ３０５、照明光学系３１０、色分離光学系３２０、クロスダイクロイックプリズム３４０、投射光学系３５０の各々の構成としては、周知の構成を採用することができる。
【００３２】
図２は、光源装置２００の構成を示す断面図である。
図２に示すように、光源装置２００は、光源ユニット２１０と、放電灯点灯装置（放電灯駆動装置）１０と、を備えている。光源ユニット２１０は、主反射鏡１１２と、放電灯９０と、副反射鏡５０と、を備えている。
【００３３】
放電灯点灯装置１０は、放電灯９０に駆動電流Ｉを供給して放電灯９０を点灯させる。主反射鏡１１２は、放電灯９０から放出された光を照射方向Ｄに向けて反射する。照射方向Ｄは、放電灯９０の光軸ＡＸと平行である。
【００３４】
放電灯９０の形状は、照射方向Ｄに沿って延びる棒状である。放電灯９０の一方の端部を第１端部９０ｅ１とし、放電灯９０の他方の端部を第２端部９０ｅ２とする。放電灯９０の材料は、例えば、石英ガラス等の透光性材料である。放電灯９０の中央部は球状に膨らんでおり、中央部の内部は放電空間９１である。放電空間９１には、希ガス、金属ハロゲン化合物などを含む放電媒体であるガスが封入されている。
【００３５】
放電空間９１には、第１電極（電極）９２および第２電極（電極）９３の先端が突出している。第１電極９２は、放電空間９１の第１端部９０ｅ１側に配置されている。第２電極９３は、放電空間９１の第２端部９０ｅ２側に配置されている。第１電極９２および第２電極９３の形状は、光軸ＡＸに沿って延びる棒状である。放電空間９１には、第１電極９２および第２電極９３の電極先端部が、所定距離だけ離れて対向するように配置されている。第１電極９２および第２電極９３の材料としては、タングステン等の金属が用いられる。
【００３６】
放電灯９０の第１端部９０ｅ１に、第１端子５３６が設けられている。第１端子５３６と第１電極９２とは、放電灯９０の内部を貫通する導電性部材５３４により電気的に接続されている。同様に、放電灯９０の第２端部９０ｅ２に、第２端子５４６が設けられている。第２端子５４６と第２電極９３とは、放電灯９０の内部を貫通する導電性部材５４４により電気的に接続されている。第１端子５３６および第２端子５４６の材料としては、タングステン等の金属が用いられる。導電性部材５３４，５４４の材料としては、モリブデン箔等が用いられる。
【００３７】
第１端子５３６および第２端子５４６は、放電灯点灯装置１０に接続されている。放電灯点灯装置１０は、第１端子５３６および第２端子５４６に、放電灯９０を駆動するための駆動電流Ｉを供給する。その結果、第１電極９２および第２電極９３の間でアーク放電が起きる。アーク放電により発生した光（放電光）は、破線の矢印で示すように、放電位置から全方向に向かって放射される。
【００３８】
主反射鏡１１２は、固定部材１１４により、放電灯９０の第１端部９０ｅ１に固定されている。主反射鏡１１２は、放電光のうち、照射方向Ｄと反対側に向かって進む光を照射方向Ｄに向かって反射する。主反射鏡１１２の反射面（放電灯９０側の面）の形状は、放電光を照射方向Ｄに向かって反射できる範囲内において、特に限定されず、例えば回転楕円形状であっても、回転放物線形状であってもよい。例えば主反射鏡１１２の反射面の形状を回転放物線形状とした場合、主反射鏡１１２は、放電光を光軸ＡＸに略平行な光に変換することができる。これにより、平行化レンズ３０５を省略することができる。
【００３９】
副反射鏡５０は、固定部材５２２により、放電灯９０の第２端部９０ｅ２側に固定されている。副反射鏡５０の反射面（放電灯９０側の面）の形状は、放電空間９１の第２端部９０ｅ２側の部分を囲む球面形状である。副反射鏡５０は、放電光のうち、主反射鏡１１２が配置された側と反対側に向かって進む光を主反射鏡１１２に向かって反射する。これにより、放電空間９１から放射される光の利用効率を高めることができる。
【００４０】
固定部材１１４，５２２の材料は、放電灯９０からの発熱に耐え得る耐熱材料である範囲内において、特に限定されず、例えば無機接着剤が用いられる。主反射鏡１１２および副反射鏡５０と放電灯９０との配置を固定する方法としては、主反射鏡１１２および副反射鏡５０を放電灯９０に固定する方法に限らず、任意の方法を採用することができる。例えば放電灯９０と主反射鏡１１２とを、独立にプロジェクター５００の筐体（図示せず）に固定してもよい。副反射鏡５０についても同様である。
【００４１】
以下、プロジェクター５００の回路構成について説明する。
図３は、本実施形態のプロジェクター５００の回路構成の一例を示す図である。
プロジェクター５００は、図１に示した光学系の他、画像信号変換部５１０と、直流電源装置８０と、液晶パネル５６０Ｒ，５６０Ｇ，５６０Ｂと、画像処理装置５７０と、ＣＰＵ（Central Processing Unit）５８０と、を備えている。
【００４２】
画像信号変換部５１０は、外部から入力された画像信号５０２（輝度−色差信号やアナログＲＧＢ信号など）を所定のワード長のデジタルＲＧＢ信号に変換して画像信号５１２Ｒ，５１２Ｇ，５１２Ｂを生成し、画像処理装置５７０に供給する。
【００４３】
画像処理装置５７０は、３つの画像信号５１２Ｒ，５１２Ｇ，５１２Ｂに対してそれぞれ画像処理を行う。画像処理装置５７０は、画像信号５１２Ｒ，５１２Ｇ，５１２Ｂを液晶パネル５６０Ｒ，５６０Ｇ，５６０Ｂをそれぞれ駆動するための駆動信号５７２Ｒ，５７２Ｇ，５７２Ｂに変換し、駆動信号５７２Ｒ，５７２Ｇ，５７２Ｂを液晶パネル５６０Ｒ，５６０Ｇ，５６０Ｂに供給する。
【００４４】
直流電源装置８０は、外部の交流電源６００から供給される交流電圧を一定の直流電圧に変換する。直流電源装置８０は、トランス（図示略、直流電源装置８０に含まれる）の２次側にある画像信号変換部５１０、画像処理装置５７０およびトランスの１次側にある放電灯点灯装置１０に直流電圧を供給する。
【００４５】
放電灯点灯装置１０は、起動時に放電灯９０の電極間に高電圧を発生させ、絶縁破壊を生じさせて放電路を形成する。放電路を形成した後、放電灯点灯装置１０は、放電灯９０が放電を維持するための駆動電流Ｉを供給する。
【００４６】
液晶パネル５６０Ｒ，５６０Ｇ，５６０Ｂは、液晶ライトバルブ３３０Ｒ，３３０Ｇ，３３０Ｂにそれぞれ備えられている。液晶パネル５６０Ｒ，５６０Ｇ，５６０Ｂは、それぞれ駆動信号５７２Ｒ，５７２Ｇ，５７２Ｂに基づいて、前述の光学系を介して各液晶パネル５６０Ｒ，５６０Ｇ，５６０Ｂに入射される色光の透過率（輝度）を変調する。
【００４７】
ＣＰＵ５８０は、プロジェクター５００の点灯開始から消灯に至るまでの各種の動作を制御する。例えば、図３の例では、通信信号５８２を介して点灯命令や消灯命令を放電灯点灯装置１０に出力する。ＣＰＵ５８０は、放電灯点灯装置１０から通信信号５８４を介して放電灯９０の点灯情報を受け取る。
【００４８】
［放電灯点灯装置］
以下、放電灯点灯装置１０の構成について説明する。
図４は、放電灯点灯装置１０の回路構成の一例を示す図である。
図４に示すように、放電灯点灯装置１０は、電力制御回路２０と、極性反転回路３０と、制御部４０と、動作検出部６０と、イグナイター回路７０と、を備えている。
【００４９】
電力制御回路２０は、放電灯９０に供給する駆動電力を生成する。本実施形態において、電力制御回路２０は、直流電源装置８０からの電圧を入力とし、入力電圧を降圧して直流電流Ｉｄを出力するダウンチョッパー回路で構成されている。
【００５０】
電力制御回路２０は、スイッチング素子２１、ダイオード２２、コイル２３、およびコンデンサー２４を含んで構成されている。スイッチング素子２１は、例えばトランジスターで構成されている。本実施形態において、スイッチング素子２１の一端は直流電源装置８０の正電圧側に接続され、他端はダイオード２２のカソード端子およびコイル２３の一端に接続されている。
【００５１】
コイル２３の他端にコンデンサー２４の一端が接続され、コンデンサー２４の他端はダイオード２２のアノード端子および直流電源装置８０の負電圧側に接続されている。スイッチング素子２１の制御端子には、後述する制御部４０から電流制御信号が入力されてスイッチング素子２１のＯＮ／ＯＦＦが制御される。電流制御信号には、例えばＰＷＭ（Pulse Width Modulation）制御信号が用いられてもよい。
【００５２】
スイッチング素子２１がＯＮすると、コイル２３に電流が流れ、コイル２３にエネルギーが蓄えられる。その後、スイッチング素子２１がＯＦＦすると、コイル２３に蓄えられたエネルギーがコンデンサー２４とダイオード２２とを通る経路で放出される。その結果、スイッチング素子２１がＯＮする時間の割合に応じた直流電流Ｉｄが発生する。
【００５３】
極性反転回路３０は、電力制御回路２０から入力される直流電流Ｉｄを所定のタイミングで極性反転させる。これにより、極性反転回路３０は、制御された時間だけ継続する直流である駆動電流Ｉ、もしくは、任意の周波数を持つ交流である駆動電流Ｉを生成し、これらの電流を出力する。本実施形態において、極性反転回路３０は、インバーターブリッジ回路（フルブリッジ回路）で構成されている。
【００５４】
極性反転回路３０は、トランジスターなどで構成される第１スイッチング素子３１、第２スイッチング素子３２、第３スイッチング素子３３、および第４スイッチング素子３４を含んでいる。極性反転回路３０は、直列接続された第１スイッチング素子３１および第２スイッチング素子３２と、直列接続された第３スイッチング素子３３および第４スイッチング素子３４と、が互いに並列接続された構成を有する。第１スイッチング素子３１、第２スイッチング素子３２、第３スイッチング素子３３、および第４スイッチング素子３４の制御端子に、それぞれ制御部４０から極性反転制御信号が入力される。極性反転制御信号に基づいて、第１スイッチング素子３１、第２スイッチング素子３２、第３スイッチング素子３３および第４スイッチング素子３４のＯＮ／ＯＦＦ動作が制御される。
【００５５】
極性反転回路３０においては、第１スイッチング素子３１および第４スイッチング素子３４と、第２スイッチング素子３２および第３スイッチング素子３３と、を交互にＯＮ／ＯＦＦさせる動作が繰り返される。これにより、電力制御回路２０から出力される直流電流Ｉｄの極性が交互に反転する。極性反転回路３０は、第１スイッチング素子３１と第２スイッチング素子３２との共通接続点、および第３スイッチング素子３３と第４スイッチング素子３４との共通接続点から、制御された時間だけ同一極性状態を継続する直流である駆動電流Ｉ、もしくは制御された周波数をもつ交流である駆動電流Ｉを生成し、これらの電流を出力する。
【００５６】
すなわち、極性反転回路３０は、第１スイッチング素子３１および第４スイッチング素子３４がＯＮのときには第２スイッチング素子３２および第３スイッチング素子３３がＯＦＦであり、第１スイッチング素子３１および第４スイッチング素子３４がＯＦＦのときには第２スイッチング素子３２および第３スイッチング素子３３がＯＮであるように制御される。したがって、第１スイッチング素子３１および第４スイッチング素子３４がＯＮのときには、コンデンサー２４の一端から第１スイッチング素子３１、放電灯９０、第４スイッチング素子３４の順に流れる駆動電流Ｉが発生する。第２スイッチング素子３２および第３スイッチング素子３３がＯＮのときには、コンデンサー２４の一端から第３スイッチング素子３３、放電灯９０、第２スイッチング素子３２の順に流れる駆動電流Ｉが発生する。
【００５７】
本実施形態において、電力制御回路２０と極性反転回路３０とを合わせた部分が放電灯駆動部２３０に対応する。放電灯駆動部２３０は、放電灯９０を駆動する駆動電流Ｉを放電灯９０に供給する。
【００５８】
制御部４０は、放電灯駆動部２３０を制御する。図４の例では、制御部４０は、電力制御回路２０および極性反転回路３０を制御することにより、駆動電流Ｉが同一極性を継続する保持時間、駆動電流Ｉの電流値（駆動電力の電力値）、周波数等のパラメーターを制御する。制御部４０は、極性反転回路３０に対して、駆動電流Ｉの極性反転タイミングにより、駆動電流Ｉが同一極性で継続する保持時間、駆動電流Ｉの周波数等を制御する極性反転制御を行う。制御部４０は、電力制御回路２０に対して、出力される直流電流Ｉｄの電流値を制御する電流制御を行う。
【００５９】
制御部４０の構成は、特に限定されない。本実施形態においては、制御部４０は、システムコントローラー４１、電力制御回路コントローラー４２、および極性反転回路コントローラー４３を含んで構成されている。なお、制御部４０の一部または全ては、半導体集積回路で構成されていてもよい。
【００６０】
システムコントローラー４１は、電力制御回路コントローラー４２および極性反転回路コントローラー４３を制御することにより、電力制御回路２０および極性反転回路３０を制御する。システムコントローラー４１は、動作検出部６０が検出したランプ電圧Ｖｌａ（電極間電圧）および駆動電流Ｉに基づいて、電力制御回路コントローラー４２および極性反転回路コントローラー４３を制御してもよい。
【００６１】
本実施形態においては、システムコントローラー４１には、記憶部４４が接続されている。システムコントローラー４１は、記憶部４４に格納された情報に基づいて、電力制御回路２０および極性反転回路３０を制御する。記憶部４４には、例えば、駆動電流Ｉが同一極性で継続する保持時間、駆動電流Ｉの電流値、周波数、デューティー比、波形、変調パターン等の駆動パラメーターに関する情報が格納されている。
【００６２】
本実施形態において、記憶部４４には、上記の周波数、後述する交流期間の長さ、後述する直流期間の長さ等の駆動パラメーターの組合せを互いに異ならせた複数の駆動パターンが記憶されている。また、記憶部４４には、個々の駆動パターンと後述するランプ電圧Ｖｌａの変化量との相関データが記憶されている。
【００６３】
電力制御回路コントローラー４２は、システムコントローラー４１からの制御信号に基づいて、電力制御回路２０へ電流制御信号を出力することにより、電力制御回路２０を制御する。
【００６４】
極性反転回路コントローラー４３は、システムコントローラー４１からの制御信号に基づいて、極性反転回路３０へ極性反転制御信号を出力することにより、極性反転回路３０を制御する。
【００６５】
制御部４０は、専用回路を用いて実現され、上述した制御や後述する処理の各種制御を行うようにすることができる。これに対して、制御部４０は、例えば、ＣＰＵが記憶部４４に記憶された制御プログラムを実行することによりコンピューターとして機能し、これらの処理の各種制御を行うようにすることもできる。
【００６６】
図５は、制御部４０の他の構成例について説明するための図である。
図５に示すように、制御部４０は、制御プログラムにより、電力制御回路２０を制御する電流制御手段４０−１、極性反転回路３０を制御する極性反転制御手段４０−２として機能するように構成されていてもよい。
【００６７】
図４に示した例では、制御部４０は、放電灯点灯装置１０の一部として構成されている。これに対して、制御部４０の機能の一部をＣＰＵ５８０が担うように構成されていてもよい。
【００６８】
本実施形態において、動作検出部６０は、放電灯９０のランプ電圧Ｖｌａを検出し、ランプ電圧情報を制御部４０に出力する電圧検出部６０Ａを含んでいる。さらに、動作検出部６０は、駆動電流Ｉを検出し、駆動電流情報を制御部４０に出力する電流検出部６０Ｂを含んでいる。本実施形態においては、動作検出部６０は、第１の抵抗６１、第２の抵抗６２、および第３の抵抗６３を含んで構成されている。
【００６９】
動作検出部６０の電圧検出部６０Ａは、放電灯９０と並列接続されるとともに、互いに直列接続された第１の抵抗６１および第２の抵抗６２で構成されている。電圧検出部６０Ａは、第１の抵抗６１および第２の抵抗６２で分圧した電圧によってランプ電圧Ｖｌａを検出する。また、電流検出部６０Ｂは、放電灯９０に直列接続された第３の抵抗６３で構成されている。電流検出部６０Ｂは、第３の抵抗６３の両端に発生する電圧によって駆動電流Ｉを検出する。
【００７０】
イグナイター回路７０は、放電灯９０の点灯開始時にのみ動作する。イグナイター回路７０は、放電灯９０の点灯開始時に一対の電極間（第１電極９２と第２電極９３との間）の空間を絶縁破壊して放電路を形成するために必要な高電圧（放電灯９０の通常点灯時よりも高い電圧）を、一対の電極間（第１電極９２と第２電極９３との間）に供給する。本実施形態においては、イグナイター回路７０は、放電灯９０と並列に接続されている。
【００７１】
図６Ａおよび図６Ｂは、第１電極９２および第２電極９３の先端部分を示す図である。
図６Ａおよび図６Ｂに示すように、第１電極９２の先端に突起５３１ｐが形成され、第２電極９３の先端に突起５４１ｐが形成されている。第１電極９２と第２電極９３との間で生じる放電は、主として突起５３１ｐと突起５４１ｐとの間で生じる。本実施形態のように、突起５３１ｐ，５４１ｐが形成されている場合には、突起が形成されていない場合と比べて、第１電極９２および第２電極９３のそれぞれにおける放電位置（アーク位置）の移動を抑えることができる。
【００７２】
図６Ａは、第１電極９２が陽極として動作し、第２電極９３が陰極として動作する第１極性状態を示している。第１極性状態では、放電によって第２電極９３（陰極）から第１電極９２（陽極）へ電子が移動する。すなわち、陰極（第２電極９３）からは電子が放出される。陰極（第２電極９３）から放出された電子は陽極（第１電極９２）の先端に衝突する。この衝突によって熱が生じ、陽極（第１電極９２）の先端（突起５３１ｐ）の温度が上昇する。
【００７３】
図６Ｂは、第１電極９２が陰極として動作し、第２電極９３が陽極として動作する第２極性状態を示している。第２極性状態では、第１極性状態とは逆に、第１電極９２から第２電極９３へ電子が移動する。その結果、第２電極９３の先端（突起５４１ｐ）の温度が上昇する。
【００７４】
このように、放電灯９０に駆動電流Ｉが供給されることにより、電子が衝突する陽極の温度は上昇する。一方、電子を放出する陰極については、陽極に向けて電子を放出している間、陰極の温度は低下する。
【００７５】
第１電極９２の突起５３１ｐと第２電極９３の突起５４１ｐとの間の電極間距離Ｌは、突起５３１ｐ，突起５４１ｐの劣化とともに大きくなる。突起５３１ｐ，５４１ｐが消耗するためである。電極間距離Ｌが大きくなると、第１電極９２と第２電極９３との間の抵抗が大きくなるため、ランプ電圧Ｖｌａが大きくなる。したがって、ランプ電圧Ｖｌａを参照することによって、電極間距離Ｌの変化を検出することができる。
【００７６】
なお、第１電極９２と第２電極９３とは同様の構成であるため、以下の説明においては、第１電極９２で代表して説明する場合がある。また、第１電極９２の先端の突起５３１ｐと第２電極９３の先端の突起５４１ｐとは同様の構成であるため、以下の説明においては、突起５３１ｐで代表して説明する場合がある。
【００７７】
次に、放電灯９０に供給される駆動電流Ｉの駆動パターンについて説明する。
図７は、駆動パターンの一例を示す図である。
図７の縦軸は電流値Ｉを示し、横軸は時間Ｔを示す。図７において駆動電流Ｉは、第１極性状態である場合を正とし、第２極性状態となる場合を負として示す。
【００７８】
図７に示す駆動パターンは、時間的に連続した複数の第１混合期間ＰＨ３１と、時間的に連続した複数の第２混合期間ＰＨ３２と、を交互に有している。
【００７９】
第１混合期間ＰＨ３１は、第１交流期間ＰＨ３１ａと、第２交流期間ＰＨ３１ｂと、直流期間ＰＨ３１ｃと、をこの順で有している。第１交流期間ＰＨ３１ａおよび第２交流期間ＰＨ３１ｂは、駆動電流Ｉの値がＩｍ１と−Ｉｍ１との間で交互に切り替わる交流電流が放電灯に供給される期間である。直流期間ＰＨ３１ｃは、駆動電流Ｉの値がＩｍ１で一定に維持される直流電流が放電灯に供給される期間である。
【００８０】
第２混合期間ＰＨ３２は、第１交流期間ＰＨ３２ａと、第２交流期間ＰＨ３２ｂと、直流期間ＰＨ３２ｃと、をこの順で有している。第１交流期間ＰＨ３２ａおよび第２交流期間ＰＨ３２ｂは、第１混合期間ＰＨ３１と同様、駆動電流Ｉの値がＩｍ１と−Ｉｍ１との間で交互に切り替わる交流電流が放電灯に供給される期間である。直流期間ＰＨ３１ｃは、駆動電流Ｉの値が−Ｉｍ１で一定に維持される直流電流が放電灯に供給される期間である。すなわち、第２混合期間ＰＨ３２の直流期間ＰＨ３２ｃでの駆動電流Ｉは、第１混合期間ＰＨ３１の直流期間ＰＨ３１ｃでの駆動電流Ｉに対して極性が反転している。
【００８１】
具体的な駆動パラメーターの一例として、第１交流期間ＰＨ３１ａ、ＰＨ３２ａにおける交流電流の周波数は、２００Ｈｚである。第１交流期間ＰＨ３１ａ、ＰＨ３２ａの長さｔ３１ａ、ｔ３２ａは、２００Ｈｚの交流電流の３周期分の長さ、すなわち、１５ｍｓ（ミリ秒）である。第２交流期間ＰＨ３１ｂ、ＰＨ３２ｂにおける交流電流の周波数は、２５０Ｈｚである。第２交流期間ＰＨ３１ｂ、ＰＨ３２ｂの長さｔ３１ｂ、ｔ３２ｂは、２５０Ｈｚの交流電流の２周期分の長さ、すなわち、８ｍｓ（ミリ秒）である。直流期間ＰＨ３１ｃ、ＰＨ３２ｃの長さｔ３１ｃ、ｔ３２ｃは、５ｍｓ（ミリ秒）である。
【００８２】
ここでは、１種類の駆動パターンのみを示しているが、本実施形態において、放電灯駆動部２３０は、周波数、交流期間の長さ、直流期間の長さ、の３種類の駆動パラメーターの組合せが互いに異なるｎ個の駆動パターンを有する駆動電流Ｉにより放電灯９０を駆動する。
【００８３】
また、本実施形態において、プロジェクター５００の電源オンにより放電灯９０の点灯が開始されて放電灯９０が点灯した時点以降から放電灯９０が消灯されるまでの期間を点灯期間とする。
【００８４】
［放電灯の駆動方法］
次に、本実施形態の放電灯９０の駆動方法について説明する。
図８は、各駆動パターンとランプ電圧Ｖｌａの変化量との相関データの取得手順の一例を示すフローチャートである。
図９は、放電灯駆動方法の処理手順の一例を示すフローチャートである。
【００８５】
本実施形態の光源装置２００において、制御部４０は、ｎ個の駆動パターンの中から一つの駆動パターンを選択し、選択する駆動パターンを適宜切り替える。放電灯駆動部２３０は、選択されている駆動パターンに対応する駆動電流Ｉを放電灯９０に供給する。より詳細には、制御部４０は、放電灯９０の点灯期間において、複数（ｎ個）の駆動パターンのうちの一つの駆動パターンを所定の選択率に従って所定のタイミングで順次選択し、選択された駆動パターンに対応する駆動電流Ｉが放電灯９０に供給されるように、放電灯駆動部２３０を制御する。本実施形態において、制御部４０は、選択する駆動パターンを切り替える際には、現在選択されている駆動パターン以外の駆動パターンの中から任意の一つの駆動パターンを順次ランダムに選択する。
【００８６】
ただし、制御部４０は、必ずしも一つの駆動パターンをランダムに選択しなくてもよく、選択順序が予め設定されていてもよい。この場合の各駆動パターンの選択率は、例えば、互いに同じに設定されている。また、所定のタイミングは、例えば、各駆動パターンが実行される時間であり、例えば、それぞれ所定時間に設定されている。なお、所定のタイミングは、各駆動パターンの間で同じでもよいし、互いに異なって設定されていてもよい。
【００８７】
プロジェクター５００の出荷段階において、各駆動パターンに対応する駆動電流Ｉが放電灯９０に供給された場合にランプ電圧Ｖｌａの変化についてある程度予測されたｎ個の駆動パターンが記憶部４４に記憶されているが、使用者によるプロジェクター５００の使い方、使用環境、累積使用時間等によって、ランプ電圧Ｖｌａの変化が予測通りに推移しない場合が発生する。そこで、光源装置２００の点灯初期において、光源装置２００は、各駆動パターンとランプ電圧Ｖｌａの変化量との初期の相関データを取得する。
【００８８】
以下、各駆動パターンとランプ電圧Ｖｌａの変化量との初期の相関データを取得する手順を、図８を用いて説明する。
最初に、プロジェクター５００の電源が投入されると、光源装置２００において放電灯９０の点灯が開始される（ステップＳ１）。
ここで、制御部４０は、放電灯９０の点灯期間において、ｎ個の駆動パターン（複数の駆動パターン）のうちの一つの駆動パターンを選択する（ステップＳ２）。放電灯駆動部２３０は、選択された駆動パターンに対応する駆動電流Ｉを放電灯９０に供給する（ステップＳ３）。
【００８９】
次に、動作検出部６０は、選択された駆動電流Ｉが放電灯９０に供給される供給期間における初期段階でのランプ電圧Ｖｌａｓを検出する（ステップＳ４）。制御部４０は、検出されたランプ電圧Ｖｌａｓを記憶部４４に記憶する。
【００９０】
次に、制御部４０は、ステップＳ２で選択された駆動パターンに対応する駆動電流Ｉが放電灯９０へ供給されてから所定時間が経過したか否かを判断する（ステップＳ５）。本実施形態において、所定時間は、例えば１５分〜２時間の範囲内で適宜設定されるが、特にこの範囲内に限定されることはない。前述の通り、所定のタイミングとしての所定時間は、一定時間であってもよいし、各駆動パターンの間で異なって設定されていてもよい。所定時間が経過していない場合（ステップＳ５：ＮＯ）、選択されている駆動パターンに対応する駆動電流Ｉの供給が続行される。
【００９１】
所定時間が経過した場合（ステップＳ５：ＹＥＳ）、動作検出部６０は、選択された駆動電流Ｉの供給期間が所定時間に達した後のランプ電圧Ｖｌａｆを検出する（ステップＳ６）。制御部４０は、検出されたランプ電圧Ｖｌａｆを記憶部４４に記憶する。
【００９２】
次に、制御部４０は、選択された駆動パターンに対応する駆動電流Ｉが放電灯９０に供給される供給期間における初期段階でのランプ電圧Ｖｌａｓと、当該駆動電流Ｉが供給されてから所定時間経過後のランプ電圧Ｖｌａｆと、の変化量を算出し、取得する（ステップＳ７）。制御部４０は、取得したランプ電圧Ｖｌａの変化量を記憶部４４に記憶する。すなわち、選択された一つの駆動パターンについて、駆動パターンとランプ電圧Ｖｌａの変化量との相関データが取得されることとなる。なお、本実施形態において、ランプ電圧Ｖｌａの変化量は、差分としての電圧値と、増減を示す符号とを含む。すなわち、ランプ電圧Ｖｌａの変化量は、例えば、＋５Ｖ、−２Ｖというように取得される。
【００９３】
次に、制御部４０は、ｎ個の駆動パターンの全てについて、駆動パターンとランプ電圧Ｖｌａの変化量との相関データの取得が完了したか否かを判断する（ステップＳ８）。
【００９４】
ｎ個全ての駆動パターンについて相関データの取得が完了していない場合（ステップＳ８：ＮＯ）、制御部４０は、ステップＳ２に移行させ、前回までのステップＳ２において選択されていない一つの駆動パターン（未だ初期の相関データを取得していない駆動パターン）を選択し、以降のステップに移行する。制御部４０は、放電灯９０の点灯期間において、複数の駆動パターンのうちの一つの駆動パターンを、所定の選択率に従って所定のタイミングで順次選択し、選択された駆動パターンに対応する駆動電流Ｉが放電灯９０に供給されるように放電灯駆動部２３０を制御する。図９に示される、各駆動パターンとランプ電圧Ｖｌａの変化量との初期の相関データを取得する手順における所定の選択率は、ステップ２においてｎ個全ての駆動パターンが選択される選択率に設定されている。また、所定のタイミングは、前述の通り、各駆動パターンに設定されている所定時間である。
【００９５】
すなわち、制御部４０は、複数の駆動パターンのうちの一つの駆動パターンを選択し、選択された駆動パターンに対応する駆動電流Ｉを所定時間放電灯９０に供給し、所定時間において検出されたランプ電圧Ｖｌａに基づいてランプ電圧Ｖｌａの変化量を取得する動作を、複数の駆動パターンの間で繰り返し、一つの駆動パターンと一つの駆動パターンに対応するランプ電圧Ｖｌａの変化量との相関データを取得する。
【００９６】
以上の手順を繰り返し、ｎ個全ての駆動パターンについて初期の相関データの取得が完了した場合、制御部４０は、各駆動パターンとランプ電圧Ｖｌａの変化量との初期の相関データを取得する処理を終了する（ステップＳ９）。
【００９７】
次に、各駆動パターンとランプ電圧変化量との初期の相関データを取得した後の放電灯９０の駆動方法について、図９を用いて説明する。
初期の相関データを取得した以降は、制御部４０は、ｎ個の駆動パターンの中から一つの駆動パターンを、駆動パターン毎に設定された初期の相関データに基づく選択率に従って選択し、選択される駆動パターンを所定期間（例えば１５分〜２時間）毎に切り替える駆動を行う。
【００９８】
ここで、初期の相関データに基づく選択率に従って所定のタイミングで複数の駆動パターンの中から一つの駆動パターンを選択し、選択された駆動パターンに応じた駆動電流Ｉを放電灯９０に供給する駆動においても、前述したように、プロジェクター５００の累積使用時間等によって、各駆動パターンにおけるランプ電圧Ｖｌａの変化量が、光源装置２００の点灯初期に取得した初期の相関データとは異なってくる場合がある。この場合に、上記のように初期の相関データに基づいて複数の駆動パターンの間で駆動パターンの切り替えを実行していくと、ランプ電圧Ｖｌａの所望の範囲に対するランプ電圧Ｖｌａの低下や上昇を招き、放電灯９０を劣化させる虞がある。そこで、図９に示されるように、制御部４０は、各駆動パターンにおけるランプ電圧Ｖｌａの変化量、すなわち相関データを更新していく制御を行う。
【００９９】
最初に、光源装置２００の電源がオンされると、放電灯９０の点灯が開始される（ステップＳ１１）。
【０１００】
次に、動作検出部６０は、放電灯９０が点灯した後に第２ランプ電圧Ｖｌａ２を検出する（ステップＳ１２）。なお、第２ランプ電圧Ｖｌａ２が検出される時点で、放電灯９０の前回の消灯前に動作検出部６０によって検出された第１ランプ電圧Ｖｌａ１が記憶部４４に記憶されている。
以下の説明においては、放電灯９０の前回の消灯前に動作検出部６０により検出されたランプ電圧を第１ランプ電圧Ｖｌａ１と称し、放電灯９０の今回の点灯後に動作検出部６０により検出されたランプ電圧を第２ランプ電圧Ｖｌａ２と称する。
【０１０１】
次に、制御部４０は、放電灯９０の前回の消灯前の第１ランプ電圧Ｖｌａ１と今回の放電灯９０の点灯後の第２ランプ電圧Ｖｌａ２との間の変化量が所定値以下であるか否かを判断する（ステップＳ１３）。より具体的には、当該変化量は、第１ランプ電圧Ｖｌａ１に対する第２ランプ電圧Ｖｌａ２の変化量である。本実施形態において、所定値は、例えば＋３Ｖに設定されている。制御部４０は、第１ランプ電圧Ｖｌａ１と第２ランプ電圧Ｖｌａ２との間の変化量が＋３Ｖ以下であるか否かを判断する。ただし、所定値は、＋３Ｖに限らず、適宜変更が可能である。
【０１０２】
第１ランプ電圧Ｖｌａ１に対する第２ランプ電圧Ｖｌａ２の変化量が＋３Ｖ以上であった場合（ステップＳ１３：ＮＯ）、制御部４０は、放電灯９０の電極先端の突起５３１ｐ，５４１ｐが消滅したおそれがあると判断する。
【０１０３】
ここで、放電灯９０が消灯している状態でプロジェクター５００の電源がオンされると、駆動電流Ｉが供給されていない状態の放電灯９０に駆動電流Ｉが供給され、放電灯９０の第１電極９２および第２電極９３には急激な熱負荷が与えられることになる。このとき、各電極９１，９２の先端の突起５３１ｐ，５４１ｐの太さが、例えば、図６Ａおよび図６Ｂに示される突起５３２ｐ，５４２ｐよりも細い場合、急激な熱負荷により突起が欠落・消滅し、電極間距離Ｌが急に大きくなる。すなわち、放電灯９０の点灯が開始されるときに、各電極９１，９２の先端の突起５３１ｐ，５４１ｐが細い場合、第１ランプ電圧Ｖｌａ１に対して第２ランプ電圧Ｖｌａ２が大きく上昇する。したがって、制御部４０は、ステップＳ１３において、第１ランプ電圧Ｖｌａ１に対する第２ランプ電圧Ｖｌａ２の変化量が所定値以上の場合に、今回の放電灯９０の点灯以前に既に突起５３１ｐ，５４１ｐの細り等の異常が生じていたおそれがあると判断する。
【０１０４】
本発明者の知見によれば、放電灯において各電極先端の突起の細りが急速に進むおそれは少なく、突起は長時間の点灯期間を経て徐々に細くなっていくと考えられる。このことから、放電灯９０の前回の消灯までの所定期間において駆動時間が最も長かった駆動パターン（第１駆動パターン）が突起５３１ｐ，５４１ｐの細りに最も影響を与えていたと考えられる。以下、放電灯９０の前回の消灯までの所定期間において駆動時間が最も長かった駆動パターンを第１駆動パターンと称する。
【０１０５】
上記の判断に基づいて、制御部４０は、第１駆動パターンが突起５３１ｐ，５４１ｐの形状維持にとって好ましくない駆動パターンであると判断する。そこで、制御部４０は、第１駆動パターンの選択率を、放電灯９０の前回の点灯期間における第１駆動パターンの選択率よりも小さくする（ステップＳ１４）。すなわち、制御部４０は、一つの駆動パターンとランプ電圧Ｖｌａの変化量との相関データを更新する。より詳細には、制御部４０は、第１駆動パターンの選択率を、例えば、複数の（ｎ個）の駆動パターンのうち各駆動パターンに設定されている選択率の平均値よりも小さくする。
【０１０６】
次に、制御部４０は、複数の駆動パターンのうち、上記第１駆動パターンの低下した選択率よりも高い選択率を有する駆動パターン（第２駆動パターン）を選択する（ステップＳ１５）。なお、選択される第２駆動パターンは、ステップＳ１２において第２ランプ電圧Ｖｌａ２が検出された時点で選択されていた駆動パターンの選択率よりも高い選択率を有する駆動パターンとしてもよい。
【０１０７】
次に、放電灯駆動部２３０は、選択された駆動パターンに対応する駆動電流Ｉを放電灯９０に供給する（ステップＳ１７）。この場合、放電灯駆動部２３０は、第２駆動パターンに対応する駆動電流Ｉを放電灯９０に供給する。
【０１０８】
一方、第１ランプ電圧Ｖｌａ１に対する第２ランプ電圧Ｖｌａ２の変化量が＋３Ｖ以下であった場合（ステップＳ１３：ＹＥＳ）、制御部４０は、放電灯９０の電極先端の突起５３１ｐ，５４１ｐの欠落や消滅は生じていないと判断する。すなわち、制御部４０は、今回の放電灯９０の点灯以前に突起５３１ｐ，５４１ｐの細り等の形状異常は生じておらず、または形状変化は許容できる範囲のものであり、放電灯９０の前回の点灯期間において選択された１以上の駆動パターンに問題はなかったと判断する。
【０１０９】
そこで、制御部４０は、放電灯９０の前回の消灯直前に選択されていた駆動パターンを、放電灯９０の今回の点灯期間においても継続して選択する（ステップＳ１６）。すなわち、制御部４０は、第２ランプ電圧Ｖｌａ２が動作検出部６０により検出された時点で設定されていた駆動パターンを維持する。次に、ステップＳ１７に移行し、放電灯駆動部２３０は、選択された駆動パターンに対応する駆動電流Ｉを放電灯９０に供給する。
【０１１０】
次に、制御部４０は、ステップＳ１５またはステップＳ１６にて選択された駆動パターンに対応する駆動電流Ｉが放電灯９０に供給されてから所定時間が経過したか否かを判断する（ステップＳ１８）。所定時間が経過していない場合（ステップＳ１８：ＮＯ）、選択されている駆動パターンに対応する駆動電流Ｉの供給が続行される。
【０１１１】
所定時間が経過した場合（ステップＳ１８：ＹＥＳ）、動作検出部６０は、選択された駆動電流Ｉの供給期間が所定時間に達した後の第３ランプ電圧Ｖｌａ３を検出する（ステップＳ１９）。制御部４０は、検出された第３ランプ電圧Ｖｌａ３を記憶部４４に記憶する。
【０１１２】
次に、制御部４０は、ステップＳ１２において検出された第２ランプ電圧Ｖｌａ２と第３ランプ電圧Ｖｌａ３との間の変化量が所定範囲内にあるか否かを判断する（ステップＳ２０）。本実施形態において、所定範囲は例えば±２Ｖに設定されているが、適宜変更が可能である。具体的には、制御部４０は、第２ランプ電圧Ｖｌａ２と第３ランプ電圧Ｖｌａ３との間の変化量が±２Ｖ以内であるか否かを判断する。
【０１１３】
第２ランプ電圧Ｖｌａ２と第３ランプ電圧Ｖｌａ３との間の変化量が所定範囲内であった場合（ステップＳ２０：ＹＥＳ）、制御部４０は、突起５３１ｐ，５４１ｐの異常は発生していないと判断する。すなわち、制御部４０は、現在選択されている駆動パターンが突起形状の維持にとって好ましい駆動パターンであると判断する。そこで、制御部４０は、現在選択されている駆動パターンの選択率を、現時点での当該駆動パターンの選択率よりも大きくする（ステップＳ２１）。すなわち、制御部４０は、放電灯９０の点灯期間において、選択された一つの駆動パターンに対応する駆動電流Ｉが供給される供給期間にて検出されたランプ電圧Ｖｌａに基づいて、当該選択された一つの駆動パターンの選択率を更新する。更に換言すると、制御部４０は、一つの駆動パターンとランプ電圧Ｖｌａの変化量との相関データを更新する。
【０１１４】
次に、制御部４０は、各駆動パターンに設定されている選択率に従って、現在選択されている駆動パターンとは異なる他の駆動パターンを選択する（ステップＳ２２）。放電灯駆動部２３０は、選択された他の駆動パターンに対応する駆動電流Ｉを放電灯９０に供給する（ステップＳ２５）。
【０１１５】
一方、変化量が所定範囲外である場合（ステップＳ２０：ＮＯ）、制御部４０は、突起５３１ｐ，５４１ｐの形状異常が発生していると判断する。すなわち、制御部４０は、現在選択されている駆動パターンが突起形状の維持にとって好ましくない駆動パターンであると判断する。そこで、制御部４０は、現在選択されている駆動パターンの選択率を、現時点での当該駆動パターンの選択率よりも小さくする（ステップＳ２３）。すなわち、制御部４０は、放電灯９０の点灯期間において、選択された一つの駆動パターンに対応する駆動電流Ｉが供給される供給期間にて検出されたランプ電圧Ｖｌａに基づいて、当該選択された一つの駆動パターンの選択率を更新する。更に換言すると、制御部４０は、一つの駆動パターンとランプ電圧Ｖｌａの変化量との相関データを更新する。例えば、制御部４０は、現在選択されている駆動パターンの選択率を、複数の駆動パターンのうち各駆動パターンに設定されている選択率の平均値よりも小さくする。
【０１１６】
次に、制御部４０は、複数の駆動パターンのうち、現在選択されている駆動パターンの低下した選択率よりも高い選択率を有する駆動パターン（第３駆動パターン）を選択する（ステップＳ２４）。次に、ステップＳ２５に移行し、放電灯駆動部２３０は、選択された第３駆動パターンに対応する駆動電流Ｉを放電灯９０に供給する。
【０１１７】
以降、制御部４０は、ステップＳ１８〜Ｓ２５の手順を繰り返す。
【０１１８】
次に、光源装置２００の電源がオフされると、放電灯９０が消灯される。なお、上述したように、動作検出部６０は、放電灯９０の消灯前に第１ランプ電圧Ｖｌａ１を検出し、制御部４０は、検出された第１ランプ電圧Ｖｌａ１を記憶部４４に記憶する。
【０１１９】
本実施形態の放電灯点灯装置１０において、制御部４０は、第１ランプ電圧Ｖｌａ１と第２ランプ電圧Ｖｌａ２との間の変化量が所定値よりも大きい場合、放電灯９０の前回の消灯までの所定期間において駆動時間が最も長かった第１駆動パターンの選択率を、前回の放電灯９０の点灯期間における第１駆動パターンの選択率よりも小さくする。これにより、今回以降の放電灯９０の点灯期間においては、突起形状の維持にとって好ましくないと判定された第１駆動パターンによる駆動時間が、前回の放電灯９０の消灯前までの所定期間の中での駆動時間よりも少なくなる。その結果、電極先端の突起５３１ｐ，５４１ｐの細り等の形状異常の発生を抑え、突起形状を安定させることができる。このようにして、本実施形態の放電灯点灯装置１０によれば、放電灯９０の寿命を向上することができる。
【０１２０】
また、本実施形態の放電灯点灯装置１０において、制御部４０は、第１ランプ電圧Ｖｌａ１と第２ランプ電圧Ｖｌａ２との間の変化量が所定値よりも大きい場合、第１駆動パターンの低下した選択率よりも高い選択率を有する第２駆動パターンを選択する。これにより、突起形状の維持に対して好ましいと判定されている第２駆動パターンに対応する駆動電流Ｉが放電灯９０に供給される。その結果、電極先端の突起５３１ｐ，５４１ｐの形状が十分に維持されるため、放電灯９０の寿命をさらに向上することができる。
【０１２１】
本実施形態の放電灯点灯装置１０において、制御部４０は、第１ランプ電圧Ｖｌａ１と第２ランプ電圧Ｖｌａ２との間の変化量が所定値よりも大きい場合、第１駆動パターンの選択率を複数の駆動パターンの各選択率の平均値よりも小さくしてもよい。この場合、今回の放電灯９０の点灯から少なくとも暫くの期間において、突起形状の維持にとって好ましくないと判定された第１駆動パターンによる駆動時間を、前回の放電灯９０の消灯前までの所定期間の中での駆動時間よりもより一層少なくすることができる。これにより、突起５３１ｐ，５４１ｐの形状が良好に維持できるため、放電灯９０の寿命を向上することができる。
【０１２２】
また、本実施形態の放電灯点灯装置１０において、制御部４０は、第１ランプ電圧Ｖｌａ１と第２ランプ電圧Ｖｌａ２との間の変化量が所定値以下の場合、第２ランプ電圧Ｖｌａ２が検出された時点で設定されていた駆動パターンを維持する。この駆動パターンは、特に突起形状を劣化させる原因にはならないと推定できるため、突起形状が維持でき、放電灯９０の寿命を向上することができる。
【０１２３】
また、本実施形態の放電灯点灯装置１０では、制御部４０は、放電灯９０の点灯期間において、複数の駆動パターンのうちの一つの駆動パターンを選択し、選択された一つの駆動パターンに対応する駆動電流Ｉを所定時間放電灯９０に供給し、所定時間において検出されたランプ電圧Ｖｌａに基づいてランプ電圧Ｖｌａの変化量を取得する動作を、複数の駆動パターンの間で繰り返し、制御部４０は、点灯期間において、一つの駆動パターンとランプ電圧Ｖｌａの変化量との相関データを取得する。そのため、制御部４０は、上記の相関データを参照することにより、現時点での電極先端の突起５３１ｐ，５４１ｐの状態に合った各駆動パターンの選択率を適切に設定することができる。
【０１２４】
本実施形態の光源装置２００は上記の放電灯点灯装置１０を備えているため、信頼性の高い光源装置２００を実現することができる。また、本実施形態のプロジェクター５００は上記の光源装置２００を備えているため、信頼性の高いプロジェクター５００を実現することができる。
【０１２５】
なお、本発明の技術範囲は上記実施形態に限定されるものではなく、本発明の趣旨を逸脱しない範囲において種々の変更を加えることが可能である。
例えば上記実施形態では、透過型のプロジェクターに本発明を適用した場合の例について説明したが、本発明は、反射型のプロジェクターにも適用することも可能である。ここで、「透過型」とは、液晶パネル等を含む液晶ライトバルブが光を透過するタイプであることを意味する。「反射型」とは、液晶ライトバルブが光を反射するタイプであることを意味する。なお、光変調装置は、液晶パネル等に限られず、例えばデジタルマイクロミラーデバイスを用いた光変調装置であってもよい。
【０１２６】
また、上記実施形態において、３つの液晶パネル５６０Ｒ，５６０Ｇ，５６０Ｂ（液晶ライトバルブ３３０Ｒ，３３０Ｇ，３３０Ｂ）を用いたプロジェクター５００の例を挙げたが、本発明は、１つの液晶パネルのみを用いたプロジェクター、４つ以上の液晶パネルを用いたプロジェクターにも適用可能である。
【符号の説明】
【０１２７】
１０…放電灯点灯装置（放電灯駆動装置）、４０…制御部、６０…動作検出部（検出部）、９０…放電灯、２００…光源装置、２３０…放電灯駆動部（駆動部）、３３０Ｒ，３３０Ｇ，３３０Ｂ…液晶ライトバルブ（光変調素子）、３５０…投射光学系、５００…プロジェクター。
【図１】
2018045805.tif 000003
【図２】
2018045805.tif 000004
【図３】
2018045805.tif 000005
【図４】
2018045805.tif 000006
【図５】
2018045805.tif 000007
【図６Ａ】
2018045805.tif 000008
【図６Ｂ】
2018045805.tif 000009
【図７】
2018045805.tif 000010
【図８】
2018045805.tif 000011
【図９】
2018045805.tif 000012